(57)【要約】【課題】不測の事態によって充電が停止した場合に発生する、充電不足による容量低下を解決することを目的とする。【解決手段】本発明の鉛蓄電池の充電方法は、充電終止条件に達する前に充電が停止した場合、部分放電終止条件に達するまでいったん部分放電した後に、充電終止条件に達するまで充電するようにしたことを特徴とする。本発明の電源システムは、電源である鉛蓄電池と、鉛蓄電池を充電するための充電器と、充電終止条件と部分放電停止条件とを記憶し、平時は充電終止条件に達するまで充電器によって鉛蓄電池を充電させ、充電終止条件に達する前に充電が停止した場合は部分放電停止条件に達するまでいったん部分放電させてから充電終止条件に達するまで充電器によって鉛蓄電池を充電させる制御部と、からなることを特徴とする。【選択図】図５
2010051045.tif 000002
【特許請求の範囲】
【請求項１】
充電終止条件に達する前に充電が停止した場合、部分放電終止条件に達するまでいったん部分放電した後に、充電終止条件に達するまで充電するようにしたことを特徴とする、鉛蓄電池の充電方法。
【請求項２】
前記充電終止条件を、鉛蓄電池の電圧Ｖceで規定したことを特徴とする、請求項１記載の鉛蓄電池の充電方法。
【請求項３】
前記充電終止条件を、鉛蓄電池の温度Ｔceで規定したことを特徴とする、請求項１記載の鉛蓄電池の充電方法。
【請求項４】
前記充電終止条件を、鉛蓄電池の充電時間ｔceで規定したことを特徴とする、請求項１記載の鉛蓄電池の充電方法。
【請求項５】
前記部分放電終止条件を、充電が停止した時点の鉛蓄電池の電圧Ｖcsから電圧差Ｖpdを減じた値（Ｖcs−Ｖpd）で規定したことを特徴とする、請求項１記載の鉛蓄電池の充電方法。
【請求項６】
２Ｖセル１つ当たりの前記電圧差Ｖpdを５ｍＶ以上としたことを特徴とする、請求項５記載の鉛蓄電池の充電方法。
【請求項７】
前記部分放電終止条件を、充電が停止した時点からの放電容量Ｃpdで規定したことを特徴とする、請求項１記載の鉛蓄電池の充電方法。
【請求項８】
２Ｖセル１つ当たりの前記放電容量Ｃpdを理論放電容量Ｃldで序した値Ｃpd／Ｃldが０．０００１以上であることを特徴とする、請求項７記載の鉛蓄電池の充電方法。
【請求項９】
鉛蓄電池の構成を制御弁式としたことを特徴とする、請求項１記載の鉛蓄電池の充電方法。
【請求項１０】
電源である鉛蓄電池と、
この鉛蓄電池を充電するための充電器と、
充電終止条件と部分放電終止条件とを記憶し、平時は充電終止条件に達するまで前記充電器によって前記鉛蓄電池を充電させ、充電終止条件に達する前に充電が停止した場合は部分放電終止条件に達するまでいったん部分放電させてから充電終止条件に達するまで前記充電器によって前記鉛蓄電池を充電させる制御部と、
からなることを特徴とする電源システム。
【請求項１１】
前記鉛蓄電池の電圧を測定する電圧測定部をさらに設け、前記充電終止条件を電圧測定部が測定した前記鉛蓄電池の電圧Ｖceで規定したことを特徴とする、請求項１０記載の電源システム。
【請求項１２】
前記鉛蓄電池の温度を測定する温度測定部をさらに設け、前記充電終止条件を温度測定部が測定した前記鉛蓄電池の温度Ｔceで規定したことを特徴とする、請求項１０記載の電源システム。
【請求項１３】
前記充電器による充電時間を計測するタイマーをさらに設け、前記充電終止条件をタイマーが計測した前記鉛蓄電池の充電時間ｔceで規定したことを特徴とする、請求項１０記載の電源システム。
【請求項１４】
前記鉛蓄電池の電圧を測定する電圧測定部をさらに設け、前記部分放電終止条件を、充電が停止した時点で電圧計測部が計測した電圧Ｖcsから電圧差Ｖpdを減じた値（Ｖcs−Ｖpd）で規定したことを特徴とする、請求項１０記載の電源システム。
【請求項１５】
２Ｖセル１つ当たりの前記電圧差Ｖpdを５ｍＶ以上としたことを特徴とする、請求項１４記載の電源システム。
【請求項１６】
前記部分放電終止条件を、充電が停止した時点からの放電容量Ｃpdで規定したことを特徴とする、請求項１０記載の電源システム。
【請求項１７】
２Ｖセル１つ当たりの前記放電容量Ｃpdを理論放電容量Ｃldで序した値Ｃpd／Ｃldが０．０００１以上であることを特徴とする、請求項１６記載の電源システム。
【請求項１８】
前記鉛蓄電池の構成を制御弁式としたことを特徴とする、請求項１０記載の電源システム。
【発明の詳細な説明】
【技術分野】
【０００１】
本発明は鉛蓄電池の充電方法、および鉛蓄電池を用いた電源システムに関する。
【背景技術】
【０００２】
二酸化炭素の排出や石油資源の枯渇を抑制する気運が高まる中、電力（例えば鉛蓄電池などの二次電池）のみを動力とする小型車両の開発が嘱望されている。
【０００３】
中でも鉛蓄電池は、タフユースに強く適度な重量を有しているため、例えば運搬車両における動力源として有用と考えられる。
【０００４】
この鉛蓄電池を効率的に充電する方法が種々検討されている。特許文献１では、前回の充電後に放電された放電量よりも僅かに多い充電量で次回に充電することを繰り返す方法が挙げられている。この方法によれば、所定のリフレッシュ過充電を除いて過充電を避けつつ、充電不足による鉛蓄電池の容量低下を防ぐことができると記されている。
【特許文献１】特開２００３−２１９５７１号公報
【発明の開示】
【発明が解決しようとする課題】
【０００５】
ところが特許文献１のような精緻な制御を活用しても、不測の事態によって充電が停止した場合（例えば停電やミスによる充電の中断）、引続き充電を再開しても十分な充電容量が得られず、結果として充電不足による容量低下を来すことがわかった。
【０００６】
本発明は上述した課題を解決するためになされたものであり、不測の事態によって充電が停止した場合に発生する不具合（充電不足による容量低下）を解決することを目的とする。
【課題を解決するための手段】
【０００７】
上述した課題を解決するために、本発明の鉛蓄電池の充電方法は、充電終止条件に達する前に充電が停止した場合、部分放電終止条件に達するまでいったん部分放電した後に、充電終止条件に達するまで充電するようにしたことを特徴とする。
【０００８】
また本発明の電源システムは、電源である鉛蓄電池と、鉛蓄電池を充電するための充電器と、充電終止条件と部分放電停止条件とを記憶し、平時は充電終止条件に達するまで充電器によって鉛蓄電池を充電させ、充電終止条件に達する前に充電が停止した場合は部分放電停止条件に達するまでいったん部分放電させてから充電終止条件に達するまで充電器によって鉛蓄電池を充電させる制御部と、からなることを特徴とする。
【０００９】
発明者らはニッケル水素蓄電池やリチウム二次電池と並行して鉛蓄電池を電源に採用すべく検討する中で、以下の差異を知見した。すなわち、鉛蓄電池は充放電に伴って電解液中の硫酸イオン（ＳＯ42-）を活物質に取り込んだり離脱させたりしながら溶解と析出を繰返すため、電解液中の硫酸イオンの分布（濃淡）の影響を受けやすい。具体的には、充電によって正極および負極の硫酸鉛（ＰｂＳＯ4）から硫酸イオンが溶出するのだが、この硫酸イオンが正極および負極の近傍に留まっているうちに次の充電を開始しても、正極および負極の周辺は硫酸イオンがほぼ飽和しているため、充電反応（すなわちさらなる硫酸イオンの溶出）が起こりにくい。このため、一度部分放電を行って正極および負極の近傍の硫酸イオン濃度を下げる（正極および負極に取り込ませる）ことにより、次の充電（硫酸イオンの溶出）を起こりやすくさせることができるというものである。
【００１０】
本発明の構成を採ることにより、不測の事態によって充電が停止した場合でも、引き続いて充電した際に起こる不具合（充電不足による容量低下）を防ぐことができる。
【発明の効果】
【００１１】
本発明によれば、鉛蓄電池の充電が不測の事態によって停止した場合でも、無作為に充電を重ねることによる容量低下が回避できるので、鉛蓄電池を用いた従来の電源システムに比べて、より長寿命にすることができる。
【発明を実施するための最良の形態】
【００１２】
以下に、本発明を実施するための最良の形態について、図を用いて説明する。
【００１３】
第１の発明は、鉛蓄電池の充電方法であって、充電終止条件に達する前に充電が停止した場合、部分放電終止条件に達するまでいったん部分放電した後に、充電終止条件に達するまで充電するようにしたことを特徴とする。
【００１４】
第２の発明は、第１の発明において、充電終止条件を鉛蓄電池の電圧Ｖceで規定したことを特徴とする。
【００１５】
第３の発明は、第１の発明において、充電終止条件を鉛蓄電池の温度Ｔceで規定したことを特徴とする。
【００１６】
第４の発明は、第１の発明において、充電終止条件を鉛蓄電池の充電時間ｔceで規定したことを特徴とする。
【００１７】
第５の発明は、第１の発明において、部分放電終止条件を、充電が停止した時点の鉛蓄電池の電圧Ｖcsから電圧差Ｖpdを減じた値（Ｖcs−Ｖpd）で規定したことを特徴とする。第６の発明は、第５の発明において、２Ｖセル１つ当たりの電圧差Ｖpdを５ｍＶ以上としたことを特徴とする。
【００１８】
第７の発明は、第１の発明において、部分放電終止条件を、充電が停止した時点からの放電容量Ｃpdで規定したことを特徴とする。第８の発明は、第７の発明において、２Ｖセル１つ当たりの放電容量Ｃpdを理論放電容量Ｃldで序した値Ｃpd／Ｃldが０．０００１以上であることを特徴とする。
【００１９】
図１は制御弁式の鉛蓄電池の充電挙動を示す図である。公称容量が６０Ａｈの鉛蓄電池を２つ用意し、一方は電圧が１３．５Ｖになるまで１２Ａで充電していったん休止し、１０分後に１２Ａで充電を再開した（曲線Ａ）。もう一方は電圧が１３．５Ｖになるまで１２Ａで充電していったん休止し、放電によって電圧を０．５Ｖ下げた後、１２Ａで充電を再開した（曲線Ｂ）。曲線Ａは充電を再開した後すぐに充電電圧が大幅に上昇し、結果的に充電率（充電電気量／放電電気量）が８０％と少ないにもかかわらず、充電終止電圧１４．４Ｖに達している。一方曲線Ｂは充電を再開する前に部分放電を行っているために、曲線Ａの電池よりも充電終止電圧１４．４Ｖに達するまでの充電容量を大きくできる。
【００２０】
発明者らはニッケル水素蓄電池やリチウム二次電池と並行して鉛蓄電池を電源に採用すべく検討する中で、以下の差異を知見した。すなわち、鉛蓄電池は充放電に伴って電解液中の硫酸イオン（ＳＯ42-）を活物質に取り込んだり離脱させたりしながら溶解と析出を繰返すため、電解液中の硫酸イオンの分布（濃淡）の影響を受けやすい。具体的には、充電によって正極および負極の硫酸鉛（ＰｂＳＯ4）から硫酸イオンが溶出するのだが、この硫酸イオンが正極および負極の近傍に留まっているうちに次の充電を開始しても、正極および負極の周辺は硫酸イオンがほぼ飽和しているため、充電反応（すなわちさらなる硫酸イオンの溶出）が起こりにくい。このため、一度部分放電を行って正極および負極の近傍の硫酸イオン濃度を下げる（正極および負極に取り込ませる）ことにより、次の充電（硫酸イオンの溶出）を起こりやすくさせることができるというものである。
【００２１】
以上の知見を活用することで、以下に示す鉛蓄電池の充電方法を発明するに至った。
【００２２】
（実施の形態１）
図２は、第２の発明の充電終止条件と、第５の発明の部分放電終止条件とを組み合わせた本発明の鉛蓄電池の充電方法を示すフローチャートである。ステップＳ１１にて鉛蓄電池の充電を開始した後、不測の事態によって充電が停止した場合（ステップＳ１２）、まずステップＳ１３にて鉛蓄電池の電圧を測定し、充電終止電圧Ｖceとの大小を比較する。ステップＳ１３における鉛蓄電池の電圧が充電終止電圧Ｖce以上の場合を除き、鉛蓄電池はステップＳ１４にて部分放電を開始する。その後は都度、ステップＳ１５にて鉛蓄電池の電圧を測定し、部分放電終止電圧（Ｖcs−Ｖpd）との大小を比較する。ここで電圧ＶcsはステップＳ１２にて充電が停止した時点の鉛蓄電池の電圧であり、Ｖpdはこの電圧Ｖcsから減じるべき電圧差（放電容量と同義）である。ステップＳ１５における鉛蓄電池の電圧が部分放電終止電圧（Ｖcs−Ｖpd）を超えている場合は引続き部分放電を継続し、（Ｖcs−Ｖpd）以下となったときにステップＳ１６を経て充電を再開する。その後は都度、ステップＳ１７にて鉛蓄電池の電圧を測定し、充電終止電圧Ｖceとの大小を比較する。ステップＳ１７における鉛蓄電池の電圧が充電終止電圧Ｖce未満の場合は引続き充電を継続し、Ｖce以上となったときに充電を終了する（ステップＳ１８）。
【００２３】
充電終止条件を鉛蓄電池の電圧Ｖceで規定することにより、鉛蓄電池の充電深さ（ＳＯＣ）を適確に管理できるため、過充電による鉛格子（集電体）の腐食を抑えることができる。また部分放電終止条件を、充電が停止した時点の鉛蓄電池の電圧Ｖcsから電圧差Ｖpdを減じた値（Ｖcs−Ｖpd）で規定することにより、無作為に所定の電圧まで放電する場合と比べて、過度のエネルギーロス（過剰な放電）を伴うことなく正極および負極の近傍の硫酸イオン濃度を次の充電反応が円滑化するレベルまで下げることができる。
【００２４】
ここで２Ｖセル１つ当たりの電圧差Ｖpdは５ｍＶ以上とするのが好ましい。電圧差Ｖpdが１直列当たり５ｍＶ未満の場合、正極および負極の近傍の硫酸イオン濃度の低下が不十分なため、次の充電反応が円滑化しにくくなる。
【００２５】
なお一般的な鉛蓄電池の場合、充電終止電圧Ｖceは２Ｖ単位セル当り２．３〜２．５Ｖとなる。
【００２６】
（実施の形態２）
図３は、第３の発明の充電終止条件と、第５の発明の部分放電終止条件とを組み合わせた本発明の鉛蓄電池の充電方法を示すフローチャートである。ステップＳ２１にて鉛蓄電池の充電を開始した後、不測の事態によって充電が停止した場合（ステップＳ２２）、まずステップＳ２３にて鉛蓄電池の温度を測定し、充電終止温度Ｔceとの大小を比較する。ステップＳ２３における鉛蓄電池の温度が充電終止温度Ｔce以上の場合を除き、鉛蓄電池はステップＳ２４にて部分放電を開始する。その後は都度、ステップＳ２５にて鉛蓄電池の電圧を測定し、部分放電終止電圧（Ｖcs−Ｖpd）との大小を比較する。ここで電圧ＶcsはステップＳ２２にて充電が停止した時点の鉛蓄電池の電圧であり、Ｖpdはこの電圧Ｖcsから減じるべき電圧差（放電容量と同義）である。ステップＳ２５における鉛蓄電池の電圧が部分放電終止電圧（Ｖcs−Ｖpd）を超えている場合は引続き部分放電を継続し、（Ｖcs−Ｖpd）以下となったときにステップＳ２６を経て充電を再開する。その後は都度、ステップＳ２７にて鉛蓄電池の温度を測定し、充電終止温度Ｔceとの大小を比較する。ステップＳ２７における鉛蓄電池の温度が充電終止温度Ｔce未満の場合は引続き充電を継続し、Ｔce以上となったときに充電を終了する（ステップＳ２８）。
【００２７】
鉛蓄電池の充電受け入れ性は温度に依存しており、高温ほど過充電されやすい。そこで第３の発明のように充電終止条件を鉛蓄電池の温度Ｔceで規定することにより、鉛蓄電池の温度と連動して充電を制御できるため、過充電による鉛格子（集電体）の腐食を抑えることができる。なお一般的な鉛蓄電池の場合、充電終止温度Ｔceは、電槽の表面温度として４０〜６０℃となる。
【００２８】
（実施の形態３）
図４は、第４の発明の充電終止条件と、第７の発明の部分放電終止条件とを組み合わせた本発明の鉛蓄電池の充電方法を示すフローチャートである。ステップＳ３１にて鉛蓄電池の充電を開始した後、不測の事態によって充電が停止した場合（ステップＳ３２）、まずステップＳ３３にて鉛蓄電池を充電した積算時間を演算し、充電を終止させる積算時間ｔceとの大小を比較する。ステップＳ３３における鉛蓄電池の積算充電時間がｔce以上の場合を除き、鉛蓄電池はステップＳ３４にて部分放電を開始する。その後は都度、ステップＳ３５にて充電が停止した時点からの放電容量（部分放電容量）を演算し、部分放電の終止条件となる容量Ｃpdとの大小を比較する。ステップＳ３５における鉛蓄電池の部分放電容量がＣpdに満たない場合は引続き部分放電を継続し、Ｃpdに達したときにステップＳ３６を経て充電を再開する。その後は都度、ステップＳ３７にて鉛蓄電池を充電した積算時間を演算し、ｔceとの大小を比較する。鉛蓄電池を充電した積算時間がｔce未満の場合は引続き充電を継続し、ｔce以上となったときに充電を終了する（ステップＳ３８）。
【００２９】
鉛蓄電池の充電受け入れ性は温度に依存しており、充電時間が長引いて鉛蓄電池自身が発熱し、高温になるほど過充電されやすい。そこで第４の発明のように充電終止条件を鉛蓄電池の積算充電時間ｔceで規定することにより、結果的に鉛蓄電池の温度と連動して充電を制御できるため、過充電による鉛格子（集電体）の腐食を抑えることができる。また部分放電終止条件を、充電が停止した時点からの放電容量（部分放電容量）Ｃpdで規定することにより、無作為に放電する場合と比べて、過度のエネルギーロス（過剰な放電）を伴うことなく正極および負極の近傍の硫酸イオン濃度を次の充電反応が円滑化するレベルまで下げることができる。
【００３０】
ここで２Ｖセル１つ当たりの部分放電容量Ｃpdは、理論放電容量Ｃldで序した値Ｃpd／Ｃldが０．０００１以上となるように設定するのが好ましい。Ｃpd／Ｃldが１並列当たり０．０００１未満の場合、正極および負極の近傍の硫酸イオン濃度の低下が不十分なため、次の充電反応が円滑化しにくくなる。
【００３１】
なお一般的な鉛蓄電池の場合、充電終止条件を鉛蓄電池の充電時間で規定する場合はトリクル充電を想定しているため、ｔceは０．５〜１００時間となる。また図４のフローチャートでは鉛蓄電池は充電の合間に部分放電されるが、鉛蓄電池の充電受け入れ性が上述したように温度に依存すること、および充電のみならず放電の際にも鉛蓄電池が発熱することを鑑みて、積算充電時間は部分放電に費やした時間や容量を考慮せず、充電に費やした時間のみから演算してよい。
【００３２】
第９の発明は、第１の発明において、鉛蓄電池の構成を制御弁式としたことを特徴とする。制御弁式の鉛蓄電池は内燃式自動車のセルスタータ用途のような補液式のものに比べて電解液を減量しているため、電解液中の硫酸イオンの分布（濃淡）がより偏りやすく、結果的に本発明の効果がより顕著となる。
【００３３】
ここで実施の形態１〜３に示すのは本発明の一例であって、任意の充電終止条件と部分放電終止条件とを組み合わせても、複数の充電終止条件および部分放電終止条件を組み合わせても、本発明の鉛蓄電池の充電方法の効果が得られることはいうまでもない。
【００３４】
第１０の発明は、電源である鉛蓄電池と、鉛蓄電池を充電するための充電器と、充電終止条件と部分放電終止条件とを記憶し、平時は充電終止条件に達するまで充電器によって鉛蓄電池を充電させ、充電終止条件に達する前に充電が停止した場合は部分放電終止条件に達するまでいったん部分放電させてから充電終止条件に達するまで充電器によって鉛蓄電池を充電させる制御部と、からなることを特徴とする電源システムに関する。
【００３５】
第１１の発明は、第１０の発明において、鉛蓄電池の電圧を測定する電圧測定部をさらに設け、充電終止条件を電圧測定部が測定した鉛蓄電池の電圧Ｖceで規定したことを特徴とする。
【００３６】
第１２の発明は、第１０の発明において、鉛蓄電池の温度を測定する温度測定部をさらに設け、充電終止条件を温度測定部が測定した鉛蓄電池の温度Ｔceで規定したことを特徴とする。
【００３７】
第１３の発明は、第１０の発明において、充電器による充電時間を計測するタイマーをさらに設け、充電終止条件をタイマーが計測した鉛蓄電池の充電時間ｔceで規定したことを特徴とする。
【００３８】
第１４の発明は、第１０の発明において、鉛蓄電池の電圧を測定する電圧測定部をさらに設け、部分放電終止条件を、充電が停止した時点で電圧計測部が計測した電圧Ｖcsから電圧差Ｖpdを減じた値（Ｖcs−Ｖpd）で規定したことを特徴とする。第１５の発明は、第１４の発明において、２Ｖセル１つ当たりの電圧差Ｖpdを５ｍＶ以上としたことを特徴とする。
【００３９】
第１６の発明は、第１０の発明において、部分放電終止条件を、充電が停止した時点からの放電容量Ｃpdで規定したことを特徴とする。第１７の発明は、第１６の発明において、２Ｖセル１つ当たりの放電容量Ｃpdを理論放電容量Ｃldで序した値Ｃpd／Ｃldが０．０００１以上であることを特徴とする。
【００４０】
（実施の形態４）
図５は、第１１の発明の充電終止条件と、第１４の発明の部分放電終止条件とを組み合わせた本発明の電源システムを示すブロック図である。鉛蓄電池１は、これを充電するための充電器２、これを放電させるための負荷３、および電動機器の負荷４と電気的に接続されている。一方で鉛蓄電池１はマイコン５とも接続されている。このマイコン５は少なくとも電圧測定部と制御部とから構成されている。電圧測定部は鉛蓄電池１の電圧を測定している。制御部は、充電終止電圧Ｖceと電圧差Ｖpdとを記憶しており、充電が停止した時点で電圧計測部が計測した電圧Ｖcsから電圧差Ｖpdを減じた値（Ｖcs−Ｖpd）を部分放電終止電圧として演算する。制御部は平時、充電終止電圧Ｖceに達するまでスイッチ６をＯＮにして充電器２によって鉛蓄電池１を充電させ、充電終止電圧Ｖceに達したときにスイッチ６をＯＦＦにして充電を終了させ、負荷４を用いた放電（電動機器の使用）に備える。しかし不測の事態によって充電終止電圧Ｖceに達する前に充電が停止した場合、制御部はスイッチ７をＯＮにして負荷３を用いて鉛蓄電池１をいったん部分放電させ、部分放電終止電圧（Ｖcs−Ｖpd）に達したらスイッチ７をＯＦＦにするとともにスイッチ６をＯＮにし、充電終止電圧Ｖceに達するまで充電器２によって鉛蓄電池１を充電させる。
【００４１】
なお実施の形態４の効果や最適な条件は、実施の形態１に示すとおりである。
【００４２】
（実施の形態５）
図６は、第１２の発明の充電終止条件と、第１４の発明の部分放電終止条件とを組み合わせた本発明の電源システムを示すブロック図である。鉛蓄電池１は、これを充電するための充電器２、これを放電させるための負荷３、および電動機器の負荷４と電気的に接続されている。一方で鉛蓄電池１はマイコン５とも接続されている。このマイコン５は少なくとも制御部とから構成されており、かつ鉛蓄電池１に近接させて温度を測定する温度測定部８と接続されている。制御部は、充電終止温度Ｔceと電圧差Ｖpdとを記憶しており、充電が停止した時点で電圧計測部が計測した電圧Ｖcsから電圧差Ｖpdを減じた値（Ｖcs−Ｖpd）を部分放電終止電圧として演算する。制御部は平時、鉛蓄電池１の温度が充電終止温度Ｔceに達するまでスイッチ６をＯＮにして充電器２によって鉛蓄電池１を充電させ、充電終止温度Ｔceに達したときにスイッチ６をＯＦＦにして充電を終了させ、負荷４を用いた放電（電動機器の使用）に備える。しかし不測の事態によって充電終止温度Ｔceに達する前に充電が停止した場合、制御部はスイッチ７をＯＮにして負荷３を用いて鉛蓄電池１をいったん部分放電させ、部分放電終止電圧（Ｖcs−Ｖpd）に達したらスイッチ７をＯＦＦにするとともにスイッチ６をＯＮにし、充電終止温度Ｔceに達するまで充電器２によって鉛蓄電池１を充電させる。
【００４３】
なお実施の形態５の効果や最適な条件は、実施の形態２に示すとおりである。
【００４４】
（実施の形態６）
実施の形態６は、第１３の発明の充電終止条件と、第１６の発明の部分放電終止条件とを組み合わせたものであり、図５と同様の構成である。鉛蓄電池１は、これを充電するための充電器２、これを放電させるための負荷３、および電動機器の負荷４と電気的に接続されている。一方で鉛蓄電池１はマイコン５とも接続されている。このマイコン５は少なくともタイマーと制御部とから構成されている。タイマーは鉛蓄電池１の充電時間を計測している。制御部は、タイマーが計測した充電時間を演算する（例えば部分放電を挟んだ充電時間を積算する）機能と、充電が停止した時点からの部分放電容量を演算する機能を有する。制御部は平時、充電を終止させる積算充電時間ｔceに達するまでスイッチ６をＯＮにして充電器２によって鉛蓄電池１を充電させ、ｔceに達したときにスイッチ６をＯＦＦにして充電を終了させ、負荷４を用いた放電（電動機器の使用）に備える。しかし不測の事態によってｔceに達する前に充電が停止した場合、制御部はスイッチ７をＯＮにして負荷３を用いて鉛蓄電池１をいったん部分放電させ、部分放電を終止させる放電容量Ｃpdに達したらスイッチ７をＯＦＦにするとともにスイッチ６をＯＮにし、ｔceに達するまで充電器２によって鉛蓄電池１を充電させる。
【００４５】
なお実施の形態６の効果や最適な条件は、実施の形態３に示すとおりである。
【００４６】
第１８の発明は、第１０の発明において、鉛蓄電池の構成を制御弁式としたことを特徴とする。第１８の発明の効果は、第９の発明と同様である。
【００４７】
ここで実施の形態４〜６に示すのは本発明の一例であって、任意の充電終止条件と部分放電終止条件とを組み合わせても、複数の充電終止条件および部分放電終止条件を組み合わせても、本発明の電源システムの効果が得られることはいうまでもない。また実施の形態４〜６では、部分放電のための負荷３と電動機器の負荷４とを分けた例を示したが、負荷３を取り除いて電動機器の負荷４を用いて部分放電を行う場合（例えば、電動車両においてウィンカーやライトの点灯および点滅により部分放電を行う場合）も、本発明の範疇に含まれることはいうまでもない。
【産業上の利用可能性】
【００４８】
本発明の鉛蓄電池の制御方法および電源システムは、タフユースが可能で安全性が高い鉛蓄電池を、不測の事態で充電が中断されやすい電動車両の電源に用いることを促進するものであり、産業の発展に与える影響は大きい。
【図面の簡単な説明】
【００４９】
【図１】制御弁式の鉛蓄電池の充電挙動を示す図
【図２】本発明の鉛蓄電池の充電方法の一例を示すフローチャート
【図３】本発明の鉛蓄電池の充電方法の一例を示すフローチャート
【図４】本発明の鉛蓄電池の充電方法の一例を示すフローチャート
【図５】本発明の電源システムの一例を示すブロック図
【図６】本発明の電源システムの一例を示すブロック図
【符号の説明】
【００５０】
１  鉛蓄電池
２  充電器
３  負荷
４  負荷
５  マイコン
６  スイッチ
７  スイッチ
８  温度測定部
【図１】
2010051045.tif 000003
【図２】
2010051045.tif 000004
【図３】
2010051045.tif 000005
【図４】
2010051045.tif 000006
【図５】
2010051045.tif 000007
【図６】
2010051045.tif 000008